【事件の表示】
　上記当事者間の特許第５９７６３２０号発明「塗装機器および塗装方法」の特許無効審判事件について、次のとおり審決する。
【結　論】
　特許第５９７６３２０号の特許請求の範囲を訂正請求書に添付された訂正特許請求の範囲のとおり、訂正後の請求項〔１、３、４、１１、１３−１５、１９、２４、２５、２９、３４、３５〕、〔２〕、〔５〕、〔６−１０〕、〔１２〕、〔１６、１７〕、〔１８〕、〔２０〕、〔２１〕、〔２２〕、〔２３〕、〔２６〕、〔２７〕、〔２８〕、〔３０〕、〔３１〕、〔３２、３３〕、〔３６〕、〔３７〕、〔３８〕、〔３９、４０〕について訂正することを認める。
　本件審判の請求を却下する。
　審判費用は、請求人の負担とする。
【理　由】
第１　主な手続の経緯
　本件特許無効審判の請求に係る特許第５９７６３２０号（以下、「本件特許」という。）に係る出願（特願２０１１−５３２５２８号）は、２００９年（平成２１年）１０月１６日（パリ条約による優先権主張外国庁受理　２００８年（平成２０年）１０月２４日　ドイツ）に、デュール　システムズ　ゲゼルシャフト　ミット　ベシュレンクテル　ハフツングを出願人としてなされた国際出願であり、平成２８年７月２９日に、特許権の設定登録（請求項の数４０）がなされたものである。
　その後、令和２年１月３１日に、審判請求人ＡＢＢ株式会社（以下、「請求人」という。）により、本件特許無効審判請求（対象請求項１、３、４、１１、１３ないし１５、１９、２４、２５、２９、３４及び３５）がなされ、同年３月２６日に、請求人により、手続補正書（方式）の提出がなされ、同年７月８日に、被請求人により、審判事件答弁書及び訂正請求書の提出がなされ、同年９月１８日に、被請求人により、手続補正書（方式）の提出がなされ、同年１０月１日付けで、当審により、書面審理通知がなされた。
　なお、令和２年６月２３日付けで表示変更登録申請書の提出がデュール　システムズ　アーゲー（以下、「被請求人」という。）からなされ、登録名義人の表示の変更がされている。
第２　当事者の主張の概要
　請求人は、特許第５９７６３２０号発明の特許請求の範囲の請求項１、３、４、１１、１３ないし１５、１９、２４、２５、２９、３４及び３５に記載された発明についての特許を無効とする、審判費用は被請求人の負担とする、との審決を求め、証拠方法として甲第１ないし１４号証を提出し、概略、以下の無効理由を主張する。
１　請求の理由
（１）無効理由１
　本件特許の請求項１、３、４、１１、１３ないし１５、１９、２４、２５、２９及び３４に係る発明は、甲第１号証記載の発明及び甲第２ないし１４号証に記載された事項に基いて、その発明の属する技術の分野における通常の知識を有する者が本件特許の優先日前に容易に発明をすることができたものであるから、特許法第２９条第２項の規定により特許を受けることができないものであり、それらについての特許は、同法第１２３条第１項第２号に該当し、無効とすべきものである。
（２）無効理由２
　本件特許の請求項１、３、４、１１、１３ないし１５、１９、２４、２５、２９、３４及び３５についての特許は、特許請求の範囲の記載が、特許法第３６条第６項第１号に規定する要件を満たしていない特許出願に対してされたものであるから、同法第１２３条第１項第４号に該当し、無効とすべきものである。
  
（３）無効理由３
　本件特許の請求項１、３、４、１１、１３ないし１５、１９、２４、２５、２９、３４及び３５についての特許は、特許請求の範囲の記載が、特許法第３６条第６項第２号に規定する要件を満たしていない特許出願に対してされたものであるから、同法第１２３条第１項第４号に該当し、無効とすべきものである。
（４）無効理由４
　本件特許の請求項３及び３４についての特許は、特許請求の範囲の記載が、特許法第３６条第６項第３号に規定する要件を満たしていない特許出願に対してされたものであるから、同法第１２３条第１項第４号に該当し、無効とすべきものである。
２　答弁の趣旨
　被請求人は、本件審判請求は成り立たない、審判費用は、請求人の負担とする、との審決を求める。
　
第３　訂正の適否
１　訂正の内容
　被請求人は、令和２年７月８日付けの訂正請求において、訂正請求書に添付された訂正特許請求の範囲のとおりに訂正することを求めており、被請求人の求めた訂正（以下、「本件訂正」という。）の内容は、以下の訂正事項１ないし３４のとおりである。なお、下線は、訂正箇所について付したものである。
（１）　訂正事項１
　特許請求の範囲の請求項１を削除する。
（２）　訂正事項２
　特許請求の範囲の請求項２に、
「共同の前記塗装剤供給ラインが色変換器によって供給される、
　ことを特徴とする請求項１に記載の塗装機器。」と記載されているのを、「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、
　共同の前記塗装剤供給ラインが色変換器によって供給される、
　ことを特徴とす
る塗
（３）　訂正事項３
　特許請求の範囲の請求項３を削除する。
（４）　訂正事項４
　特許請求の範囲の請求項４を削除する。
（５）　訂正事項５
　特許請求の範囲の請求項５に、
「ａ）前記塗布機器が、部品が前記塗装剤で塗装される塗装キャビン内に配置される、および／または
　ｄ）前記塗装キャビン（２）から下向きに、および／または、測道を通して前記キャビンの空気を抜き出す空気抜き器（１０）が設けられ、および／または、
　ｅ）前記空気抜き器（１０）の上流に配置され、前記キャビンの空気から前記オーバースプレーを除去する空気フィルター（１１）が設けられ、および／または、
　ｆ）前記キャビンの空気がフィルター天井を通して前記塗装キャビン（２）から下向きに抜き出されるように、前記塗装キャビン（２）の基部に配置されたフィルター天井として前記空気フィルター（１１）が設計された、
　ことを特徴とする請求項１乃至４のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　ａ）前記塗布機器が、部品が前記塗装剤で塗装される塗装キャビン内に配置される、および／または
　ｄ）前記塗装キャビン（２）から下向きに、および／または、測道を通して前記キャビンの空気を抜き出す空気抜き器（１０）が設けられ、および／または、
　ｅ）前記空気抜き器（１０）の上流に配置され、前記キャビンの空気から前記オーバースプレーを除去する空気フィルター（１１）が設けられ、および／または、
　ｆ）前記キャビンの空気がフィルター天井を通して前記塗装キャビン（２）から下向きに抜き出されるように、前記塗装キャビン（２）の基部に配置されたフィルター天井として前記空気フィルター（１１）が設計された、
　ことを特徴とす
る塗
（６）　訂正事項６
　特許請求の範囲の請求項６に、
「ａ）色変換器（１３）が前記塗装剤の１つを選択し、選択された前記塗装剤を前記プリントヘッド（８、９）に供給するように、出力側において前記プリントヘッド（８、９）に接続され、および、入力側においてさまざまな塗装剤が供給される、少なくとも１つの前記色変換器（１３）が前記プリントヘッド（８、９）に割り当てられ、および／または、
　ｂ）入力側において、前記色変換器（１３）が表色系の原色（Ｃ、Ｍ、Ｙ、Ｋ）の様々な塗装剤を供給され、および／または、
　ｃ）入力側において、前記色変換器（１３）が様々な特殊塗料を供給され、および／または、
　ｄ）前記色変換器（１３）が、前記プリントヘッド（８、９）の単一の塗装剤ノズルに選択された前記塗装剤を供給する、
　ことを特徴とする請求項１乃至５のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　ａ）色変換器（１３）が前記塗装剤の１つを選択し、選択された前記塗装剤を前記プリントヘッド（８、９）に供給するように、出力側において前記プリントヘッド（８、９）に接続され、および、入力側においてさまざまな塗装剤が供給される、少なくとも１つの前記色変換器（１３）が前記プリントヘッド（８、９）に割り当てられ、および／または、
　ｂ）入力側において、前記色変換器（１３）が表色系の原色（Ｃ、Ｍ、Ｙ、Ｋ）の様々な塗装剤を供給され、および／または、
　ｃ）入力側において、前記色変換器（１３）が様々な特殊塗料を供給され、および／または、
　ｄ）前記色変換器（１３）が、前記プリントヘッド（８、９）の単一の塗装剤ノズルに選択された前記塗装剤を供給する、
　ことを特徴とす
る塗
　また、請求項６を引用する請求項８ないし１０も同様に訂正する。
（７）　訂正事項７
　特許請求の範囲の請求項７に、
「ａ）色変換器（１５．１〜１５．４）が前記塗装剤の１つをそれぞれ選択し、関連する塗装剤ノズル（１４．１〜１４．４）にそれを供給するように、入力側においてさまざまな塗装剤を供給され、および、出力側において前記プリントヘッド（８、９）のさまざまな塗装剤ノズル（１４．１〜１４．４）に接続される前記色変換器（１５．１〜１５．４）が前記プリントヘッド（８、９）に割り当てられ、および／または、
　ｂ）入力側において、前記色変換器（１５．１〜１５．４）のそれぞれが表色系の原色（Ｃ、Ｍ、Ｙ、Ｋ）のさまざまな塗装剤を供給され、および／または、
　ｃ）入力側において、前記色変換器（１５．１〜１５．４）のそれぞれが単独の特殊塗料、または、さまざまな特殊塗料を供給され、および／または、
　ｄ）個々の前記色変換器（１５．１〜１５．４）のそれぞれが、１つの塗装剤ノズル（１４．１〜１４．４）に選択された前記塗装剤を供給する、
　ことを特徴とする請求項１乃至６のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　ａ）色変換器（１５．１〜１５．４）が前記塗装剤の１つをそれぞれ選択し、関連する塗装剤ノズル（１４．１〜１４．４）にそれを供給するように、入力側においてさまざまな塗装剤を供給され、および、出力側において前記プリントヘッド（８、９）のさまざまな塗装剤ノズル（１４．１〜１４．４）に接続される前記色変換器（１５．１〜１５．４）が前記プリントヘッド（８、９）に割り当てられ、および／または、
　ｂ）入力側において、前記色変換器（１５．１〜１５．４）のそれぞれが表色系の原色（Ｃ、Ｍ、Ｙ、Ｋ）のさまざまな塗装剤を供給され、および／または、
　ｃ）入力側において、前記色変換器（１５．１〜１５．４）のそれぞれが単独の特殊塗料、または、さまざまな特殊塗料を供給され、および／または、
　ｄ）個々の前記色変換器（１５．１〜１５．４）のそれぞれが、１つの塗装剤ノズル（１４．１〜１４．４）に選択された前記塗装剤を供給する、
　ことを特徴とす
る塗
　また、請求項７を引用する請求項８ないし１０も同様に訂正する。
（８）　訂正事項８
　特許請求の範囲の請求項１１を削除する。
（９）　訂正事項９
　特許請求の範囲の請求項１２に、
「ａ）前記プリントヘッド（８、９）が、行（ｅｉｎｅｒ　ｚｅｉｌｅ）および列（ｅｉｎｅｒ　ｓｐａｌｔｅ）の行列形式に配置された塗装剤ノズル（２９）を有し、および／または、
　ｂ）さまざまな前記ノズル列（２８．１〜２８．４）の前記塗装剤ノズル（２９）が色変換器（３０）によって一緒に供給され、および／または、
　ｃ）入力側において、前記色変換器（３０）が、特殊塗料が前記色変換器（３０）に供給される特殊カラー供給ラインに接続され、および／または、
　ｄ）入力側において、前記色変換器（３０）が、表色系の原色（Ｃ、Ｍ、Ｙ、Ｋ）のさまざまなカラーの塗装剤を供給され、塗料を所望の色合いと混合する混合器（３１）と接続され、
　ｅ）前記色変換器（３０）が、前記特殊塗料の１つ、または、前記混合器（３１）によって混合された前記塗料のどちらかを選択的に選択し、それを前記塗装剤ノズルに供給する、
　ことを特徴とする請求項１乃至１１のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、
かつ、
　ａ）前記プリントヘッド（８、９）が、行（ｅｉｎｅｒ　ｚｅｉｌｅ）および列（ｅｉｎｅｒ　ｓｐａｌｔｅ）の行列形式に配置された塗装剤ノズル（２９）を有し、および／または、
　ｂ）さまざまな前記ノズル列（２８．１〜２８．４）の前記塗装剤ノズル（２９）が色変換器（３０）によって一緒に供給され、および／または、
　ｃ）入力側において、前記色変換器（３０）が、特殊塗料が前記色変換器（３０）に供給される特殊カラー供給ラインに接続され、および／または、
　ｄ）入力側において、前記色変換器（３０）が、表色系の原色（Ｃ、Ｍ、Ｙ、Ｋ）のさまざまなカラーの塗装剤を供給され、塗料を所望の色合いと混合する混合器（３１）と接続され、
　ｅ）前記色変換器（３０）が、前記特殊塗料の１つ、または、前記混合器（３１）によって混合された前記塗料のどちらかを選択的に選択し、それを前記塗装剤ノズルに供給する、
　ことを特徴とす
る塗
（１０）　訂正事項１０
　特許請求の範囲の請求項１３を削除する。
（１１）　訂正事項１１
　特許請求の範囲の請求項１４を削除する。
（１２）　訂正事項１２
　特許請求の範囲の請求項１５を削除する。
（１３）　訂正事項１３
　特許請求の範囲の請求項１６に、
「ａ）前記プリントヘッド（８、９）において、前記大きなノズル開口部を有する前記ノズル列（３８．１〜３８．５）が、縦方向にオフセットしており、および／または、
　ｂ）ノズルヘッドにおいて、前記小さなノズル開口部を有する前記ノズル列（３９．１〜３９．５）が、縦方向にお互いに対してオフセットしていない、
　ことを特徴とする請求項１５に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、
　
大きなノズル開口部を有するノズル列（３８．１〜３８．５）と、小さなノズル開口部を有するノズル列（３９．１〜３９．５）とが、前記プリントヘッド（８、９）内に交互に配置され、かつ、
　ａ）前記プリントヘッド（８、９）において、前記大きなノズル開口部を有する前記ノズル列（３８．１〜３８．５）が、縦方向にオフセットしており、および／または、
　ｂ）ノズルヘッドにおいて、前記小さなノズル開口部を有する前記ノズル列（３９．１〜３９．５）が、縦方向にお互いに対してオフセットしていない、
　ことを特徴とす
る塗
　また、請求項１６を引用する請求項１７も同様に訂正する。
（１４）　訂正事項１４
　特許請求の範囲の請求項１８に、
「ａ）前記プリントヘッド（８、９、４３）が回転軸に対して回転自在に搭載され、塗装中、または、連続的な塗装セッションの間に回転し、および／または、
　ｂ）前記プリントヘッド（８、９、４３）が異なるサイズの塗装剤ノズルを有し、および／または、
　ｃ）より大きな塗装剤ノズル（４４）よりも、より小さな塗装剤ノズル（４５）が前記プリントヘッド（８、９、４３）の前記回転軸のより近くに配置される、
　ことを特徴とする請求項１乃至１７のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　ａ）前記プリントヘッド（８、９、４３）が回転軸に対して回転自在に搭載され、塗装中、または、連続的な塗装セッションの間に回転し、および／または、
　ｂ）前記プリントヘッド（８、９、４３）が異なるサイズの塗装剤ノズルを有し、および／または、
　ｃ）より大きな塗装剤ノズル（４４）よりも、より小さな塗装剤ノズル（４５）が前記プリントヘッド（８、９、４３）の前記回転軸のより近くに配置される、
　ことを特徴とす
る塗
（１５）　訂正事項１５
　特許請求の範囲の請求項１９を削除する。
（１６）　訂正事項１６
　特許請求の範囲の請求項２０に、
「ａ）表色系が、原色（Ｃ、Ｍ、Ｙ、Ｋ）のシアン、マゼンタ、黄、黒を有するＣＭＹＫ表色系であるか、または
　ｂ）表色系が、原色の赤、黄、青を有するＲＧＢ表色系である、
　ことを特徴とする請求項１乃至１９のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　ａ）表色系が、原色（Ｃ、Ｍ、Ｙ、Ｋ）のシアン、マゼンタ、黄、黒を有するＣＭＹＫ表色系であるか、または
　ｂ）表色系が、原色の赤、黄、青を有するＲＧＢ表色系である、
　ことを特徴とす
る塗
（１７）　訂正事項１７
　特許請求の範囲の請求項２１に、
「特殊塗料が、エフェクト塗料、メタリック塗料、もしくはマイカ塗料である、
　ことを特徴とする請求項１乃至２０のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、
　特殊塗料が、エフェクト塗料、メタリック塗料、もしくはマイカ塗料である、
　ことを特徴とす
る塗
（１８）　訂正事項１８
　特許請求の範囲の請求項２２に、
「前記塗装剤と接する前記プリントヘッド（８、９）の表面のエリアが、摩耗を減少させる塗装、ダイヤモンド塗装、硬質メタル、もしくは、硬質材料と軟質材料との材料の組み合わせ、を提供される、
　ことを特徴とする請求項１乃至２１のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、
　前記塗装剤と接する前記プリントヘッド（８、９）の表面のエリアが、摩耗を減少させる塗装、ダイヤモンド塗装、硬質メタル、もしくは、硬質材料と軟質材料との材料の組み合わせ、を提供される、
　ことを特徴とす
る塗
（１９）　訂正事項１９
　特許請求の範囲の請求項２３に、
「前記プリントヘッド（８、９）の塗布効率を向上させる静電塗装剤投入装置および／または圧縮空気支持部を備える、
　ことを特徴とする請求項１乃至２２のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、
　
前記塗装機器は、
　ことを特徴とす
る塗
（２０）　訂正事項２０
　特許請求の範囲の請求項２４を削除する。
（２１）　訂正事項２１
　特許請求の範囲の請求項２５を削除する。
（２２）　訂正事項２２
　特許請求の範囲の請求項２６に、
「ａ）前記センサー（６２）が光学センサーであり、および／または、
　ｂ）前記ガイド経路が以前に塗布された塗装剤の経路であり、または、
　ｃ）前記ガイド経路が、紫外線または赤外線が照射される時にのみ可視化される塗装剤を含む、
　ことを特徴とする請求項２５に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　
前記塗装機器は、
　
ａ）前記プリントヘッド（５９）を位置決めする多軸ロボット（５８）と、
　
ｂ）ロボット（５８）によって前記プリントヘッド（５９）と一緒に位置決めされ、塗装される部品（６０）上のガイド経路の方向を検知する、センサー（６２）と、
　
ｃ）入力側において前記センサー（６２）と接続され、出力側において前記ロボット（５８）と接続されるロボット制御装置（６１）と、
　
を備え、
　
前記ロボット制御装置（６１）が前記ガイド経路の前記方向の関数として、前記プリントヘッド（５９）を位置決めし、さらに、
　ａ）前記センサー（６２）が光学センサーであり、および／または、
　ｂ）前記ガイド経路が以前に塗布された塗装剤の経路であり、または、
　ｃ）前記ガイド経路が、紫外線または赤外線が照射される時にのみ可視化される塗装剤を含む、
　ことを特徴とす
る塗
（２３）　訂正事項２３
　特許請求の範囲の請求項２７に、
「ａ）前記プリントヘッド（６９）がシースフローノズル（７３）を有し、
　ｂ）前記シースフローノズル（７３）が、空気または他の気体のシースフローを吐出し、
　ｃ）前記シースフローが、前記塗装剤ノズルから吐出された前記塗装剤を取り囲む、
　ことを特徴とする請求項１乃至２６のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　ａ）前記プリントヘッド（６９）がシースフローノズル（７３）を有し、
　ｂ）前記シースフローノズル（７３）が、空気または他の気体のシースフローを吐出し、
　ｃ）前記シースフローが、前記塗装剤ノズルから吐出された前記塗装剤を取り囲む、
　ことを特徴とす
る塗
（２４）　訂正事項２４
　特許請求の範囲の請求項２８に、
「ａ）前記プリントヘッド（７４）が、経路の方向に関してお互いに隣に配置される塗装剤ノズル（７５）を有し、
　ｂ）外側の前記塗装剤ノズル（７５）は、内側の前記塗装剤ノズル（７５）よりも少ない塗装剤を吐出する、
　ことを特徴とする請求項１乃至２７のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　ａ）前記プリントヘッド（７４）が、経路の方向に関してお互いに隣に配置される塗装剤ノズル（７５）を有し、
　ｂ）外側の前記塗装剤ノズル（７５）は、内側の前記塗装剤ノズル（７５）よりも少ない塗装剤を吐出する、
　ことを特徴とす
る塗
（２５）　訂正事項２５
　特許請求の範囲の請求項２９を削除する。
（２６）　訂正事項２６
　特許請求の範囲の請求項３０に、
「ａ）部品（７７）が運ばれるコンベヤ通路（７８）と、
　ｂ）前記コンベヤ通路（７８）を横切って跨ぐ入口（７９）と、
　ｃ）前記入口（７９）上に搭載され、前記コンベヤ通路（７８）上の前記部品（７７）に向けて方向づけられる、多数のプリントヘッド（８０）と、
　を備える、
　ことを特徴とする請求項１乃至２９のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、かつ、
　
前記塗装機器は、
　ａ）部品（７７）が運ばれるコンベヤ通路（７８）と、
　ｂ）前記コンベヤ通路（７８）を横切って跨ぐ入口（７９）と、
　ｃ）前記入口（７９）上に搭載され、前記コンベヤ通路（７８）上の前記部品（７７）に向けて方向づけられる、多数のプリントヘッド（８０）と、
　を備える、
　ことを特徴とす
る塗
（２７）　訂正事項２７
　特許請求の範囲の請求項３１に、
「入力側において、前記プリントヘッド（６７）が、要素を混合し、それらを前記プリントヘッド（６７）に供給する色混合器（６６）に接続された、
　ことを特徴とする請求項１乃至３０のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、
　入力側において、前記プリントヘッド（６７）が、要素を混合し、それらを前記プリントヘッド（６７）に供給する色混合器（６６）に接続された、
　ことを特徴とす
る塗
（２８）　訂正事項２８
　特許請求の範囲の請求項３２に、
「要素が車両部品表面においてのみ混合されるように、前記プリントヘッド（６８）が、お互いに分離された、いくつかの異なる要素を吐出する、
　ことを特徴とする請求項１乃至３１のいずれか１項に記載の塗装機器。」と記載されているのを、
「
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成され、
　要素が車両部品表面においてのみ混合されるように、前記プリントヘッド（６８）が、お互いに分離された、いくつかの異なる要素を吐出する、
　ことを特徴とす
る塗
　また、請求項３２を引用する請求項３３も同様に訂正する。
（２９）　訂正事項２９
　特許請求の範囲の請求項３４を削除する。
（３０）　訂正事項３０
　特許請求の範囲の請求項３５を削除する。
（３１）　訂正事項３１
　特許請求の範囲の請求項３６に、
「ａ）大きな表面積のエリア塗装においては、均一な塗装を得るために前記プリントヘッド（８、９）が回転し、および／または、
　ｂ）細部または図面の詳細な塗装においては、局所的な高解像度を得るために前記プリントヘッド（８、９）が回転しない、
　ことを特徴とする請求項３４または３５に記載の塗装方法。」と記載されているのを、
「
塗料で車両部品を塗装する塗装方法であって、
　
塗装剤ノズルの全てが前記車両部品に同一の塗装剤を塗布し得るように、塗装機器に設けられたプリントヘッド（８、９）によって塗装剤が塗布され、
　
前記塗装機器は、
　
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成される、
　
塗装機器であり、
　ａ）大きな表面積のエリア塗装においては、均一な塗装を得るために前記プリントヘッド（８、９）が回転し、および／または、
　ｂ）細部または図面の詳細な塗装においては、局所的な高解像度を得るために前記プリントヘッド（８、９）が回転しない、
　ことを特徴とす
る塗
（３２）　訂正事項３２
　特許請求の範囲の請求項３７に、
「ａ）前記プリントヘッド（８、９）および／または塗装される前記部品表面の空間位置を検知する工程と、
　ｂ）測定された位置の関数として、前記プリントヘッド（８、９）の前記空間位置を開ループ調節（ｓｔｅｕｒｅｕｎｇ）および／または閉ループ制御（ｒｅｇｅｌｕｎｇ）する工程と、
　を含むことを特徴とする請求項３４乃至３６のいずれか１項に記載の塗装方法。」と記載されているのを、
「
塗料で車両部品を塗装する塗装方法であって、
　
塗装剤ノズルの全てが前記車両部品に同一の塗装剤を塗布し得るように、塗装機器に設けられたプリントヘッド（８、９）によって塗装剤が塗布され、
　
前記塗装機器は、
　
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成される、
　
塗装機器であり、
　
前記塗装方法は、さらに、
　ａ）前記プリントヘッド（８、９）および／または塗装される前記部品表面の空間位置を検知する工程と、
　ｂ）測定された位置の関数として、前記プリントヘッド（８、９）の前記空間位置を開ループ調節（ｓｔｅｕｒｅｕｎｇ）および／または閉ループ制御（ｒｅｇｅｌｕｎｇ）する工程と、
　を含むことを特徴とす
る塗
（３３）　訂正事項３３
　特許請求の範囲の請求項３８に、
「塗装エッジ（３９）を明瞭にするために、異なるサイズの塗装剤ノズルが用いられ、異なるサイズの塗装剤が表面にもたらされる、
　ことを特徴とする請求項３４乃至３７のいずれか１項に記載の塗装方法。」と記載されているのを、
「
塗料で車両部品を塗装する塗装方法であって、
　
塗装剤ノズルの全てが前記車両部品に同一の塗装剤を塗布し得るように、塗装機器に設けられたプリントヘッド（８、９）によって塗装剤が塗布され、
　
前記塗装機器は、
　
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成される、
　
塗装機器であり、
　塗装エッジ（３９）を明瞭にするために、異なるサイズの塗装剤ノズルが用いられ、異なるサイズの塗装剤が表面にもたらされる、
　ことを特徴とす
る塗
（３４）　訂正事項３４
　特許請求の範囲の請求項３９に、
「ａ）ピクセル（５２）の形態で前記塗装剤が部品（５３）に塗布され、
　ｂ）色の混合を通して所望の色合いを得るために、個々の前記ピクセル（５２）が表色系の原色（５５〜５７）を含み、および／または、
　ｃ）個々の前記ピクセル（５２）内のさまざまな前記原色（５５〜５７）が層の形態でお互いの上にそれぞれ配置される、
　ことを特徴とする請求項３４乃至３８のいずれか１項に記載の塗装方法。」と記載されているのを、
「
塗料で車両部品を塗装する塗装方法であって、
　
塗装剤ノズルの全てが前記車両部品に同一の塗装剤を塗布し得るように、塗装機器に設けられたプリントヘッド（８、９）によって塗装剤が塗布され、
　
前記塗装機器は、
　
塗装剤を塗布する塗布機器を有し、塗料で車両部品を塗装する塗装機器であって、
　
前記塗布機器が、少なくとも１つの塗装剤ノズル（１２；　１４．１〜１４．４；　１６．１〜１６．６；　２０；　２９；　３６；　４４；　４５）から前記塗装剤を吐出するプリントヘッド（８、９）であり、
　
前記プリントヘッドが、ノズル列に配置された塗装剤ノズルを有し、それぞれのノズル列がいくつかの塗装剤ノズルを含み、
　
前記塗装剤ノズルの全てが前記車両部品に同一の塗装剤を塗布し得るように、さまざまな前記ノズル列の前記塗装剤ノズルが、塗布される前記塗装剤が供給される塗装剤供給ラインに一緒に接続され、
　
前記プリントヘッドが搭載される多軸ハンドを有する多軸ロボットによって前記プリントヘッドが位置決めされ、
　
前記プリントヘッドが、少なくとも１ｍ２／分の面積塗装性能を発揮するように構成される、
　
塗装機器であり、
　ａ）ピクセル（５２）の形態で前記塗装剤が部品（５３）に塗布され、
　ｂ）色の混合を通して所望の色合いを得るために、個々の前記ピクセル（５２）が表色系の原色（５５〜５７）を含み、および／または、
　ｃ）個々の前記ピクセル（５２）内のさまざまな前記原色（５５〜５７）が層の形態でお互いの上にそれぞれ配置される、
　ことを特徴とす
る塗
　また、請求項３９を引用する請求項４０も同様に訂正する。
（３５）　一群の請求項について
　訂正前の請求項１ないし４０について、請求項２ないし４０は、請求項１を直接又は間接的に引用しているものであって、訂正事項１によって削除される請求項１に連動して訂正されるものである。
　したがって、訂正前の請求項１ないし４０に対応する訂正後の請求項１ないし４０は、特許法１３４条の２第３項に規定する一群の請求項である。
　また、特許権者は、訂正後の請求項２、５ないし１０、１２、１６ないし１８、２０ないし２３、２６ないし２８、３０ないし３３及び３６ないし４０に係る訂正について、本件訂正が認められるときに一群の請求項の他の請求項とは別途訂正することを求めている。
２　訂正の適否についての検討
（１）　請求項１、３、４、１１、１３ないし１５、１９、２４、２５、２９、３４及び３５に係る訂正について
　請求項１、３、４、１１、１３ないし１５、１９、２４、２５、２９、３４及び３５に係る本件訂正は、いずれも、これらの請求項を削除するものである。
　したがって、請求項１、３、４、１１、１３ないし１５、１９、２４、２５、２９、３４及び３５に係る訂正は、特許請求の範囲の減縮を目的とするものであって、新規事項の追加に該当せず、実質上特許請求の範囲を拡張し、又は変更するものでもない。
（２）　請求項２に係る訂正について
　請求項２に係る本件訂正は、請求項１との引用関係を解消し、請求項１を引用する記載内容にする、いわゆる独立形式に改めるものであるから、他の請求項の記載を引用する請求項の記載を当該他の請求項の記載を引用しないものとする訂正を目的とするものである。
　また、請求項２に係る本件訂正は、実質上特許請求の範囲を拡張し、又は変更するものには該当せず、本件訂正前の請求項２に記載される事項であるから、新規事項の追加ではない。
（３）　請求項５ないし１０、１２、１８、２０ないし２３、２７、２８及び３０ないし３３に係る訂正について
　請求項５に係る本件訂正は、請求項５より前に存在するすべての請求項との引用関係を解消し、請求項１のみを引用するものに限定して独立形式に改めるものであるから、特許請求の範囲の減縮を目的とする訂正であって、かつ他の請求項の記載を引用する請求項の記載を当該他の請求項の記載を引用しないものとすることを目的とする訂正である。
　また、請求項５に係る本件訂正は、訂正前の当該請求項から請求項１以外を引用する特定事項を削除するものであるから、実質上特許請求の範囲を拡張し、又は変更するものには該当せず、また、新規事項の追加でもない。
　そして、請求項５に係る本件訂正は、上述のとおり、特許請求の範囲の減縮を訂正の目的とし、かつ当該請求項に対して無効審判請求がされていないため、本件訂正後の請求項に係る発明が、発明が特許出願の際独立して特許を受けることができるか（いわゆる独立特許要件の充足性。特許法第１３４条の２第９項で読み替えて準用する同法第１２６条第７項。）について検討したが、独立特許要件を欠くとする事由を見いだすことができない。
　請求項６及び７に係る本件訂正も請求項５と同様の訂正であり、また、請求項６及び７を直接又は間接的に引用する請求項８ないし１０に係る本件訂正も請求項６及び７に係る本件訂正に伴う訂正であって同様に適法である。
　請求項１２、１８、２０ないし２３、２７、２８、３０及び３１に係る本件訂正も請求項５と同様の訂正であって同様に適法である。
　請求項３２に係る本件訂正も請求項５と同様の訂正であり、また、請求項３２を引用する請求項３３に係る本件訂正も請求項３２に係る本件訂正に伴う訂正であって同様に適法である。
（４）　請求項１６及び１７に係る訂正について
　請求項１６に係る本件訂正は、請求項１５との引用関係を解消し、請求項１のみを引用する請求項１５のうち、「ｄ）大きなノズル開口部を有するノズル列（３８．１〜３８．５）と、小さなノズル開口部を有するノズル列（３９．１〜３９．５）とが、前記プリントヘッド（８、９）内に交互に配置され」る場合の特定事項をさらに引用する請求項１６の特定事項に限定して独立形式に改めるものであるから、特許請求の範囲の減縮を目的とする訂正であって、かつ他の請求項の記載を引用する請求項の記載を当該他の請求項の記載を引用しないものとすることを目的とする訂正である。
　また、請求項１６に係る本件訂正は、訂正前の当該請求項から請求項１を引用する請求項１５における上記ｄ）の特定事項を有するもの以外の特定事項を削除するものであるから、実質上特許請求の範囲を拡張し、又は変更するものには該当せず、また、新規事項の追加でもない。
　そして、請求項１６に係る本件訂正は、上述のとおり、特許請求の範囲の減縮を訂正の目的とし、かつ当該請求項に対して無効審判請求がされていないため、本件訂正後の請求項に係る発明が、発明が特許出願の際独立して特許を受けることができるかについて検討したが、独立特許要件を欠くとする事由を見いだすことができない。
　また、請求項１６を引用する請求項１７に係る本件訂正も請求項１６に係る本件訂正に伴う訂正であって同様に適法である。
（５）　請求項２６に係る訂正について
　請求項２６に係る本件訂正は、請求項２５との引用関係を解消し、請求項１のみを引用する請求項２５をさらに引用する請求項２６の特定事項に限定して独立形式に改めるものであるから、特許請求の範囲の減縮を目的とする訂正であって、かつ他の請求項の記載を引用する請求項の記載を当該他の請求項の記載を引用しないものとすることを目的とする訂正である。
　また、請求項２６に係る本件訂正は、訂正前の当該請求項から請求項１を引用する請求項２５の特定事項を有するもの以外の特定事項を削除するものであるから、実質上特許請求の範囲を拡張し、又は変更するものには該当せず、また、新規事項の追加でもない。
　そして、請求項２６に係る本件訂正は、上述のとおり、特許請求の範囲の減縮を訂正の目的とし、かつ当該請求項に対して無効審判請求がされていないため、本件訂正後の請求項に係る発明が、発明が特許出願の際独立して特許を受けることができるかについて検討したが、独立特許要件を欠くとする事由を見いだすことができない。
（６）　請求項３６ないし４０に係る訂正について
　請求項３６に係る本件訂正は、請求項３４及び３５との引用関係を解消し、請求項１のみを引用する請求項３４をさらに引用する請求項３６の特定事項に限定して独立形式に改めるものであるから、特許請求の範囲の減縮を目的とする訂正であって、かつ他の請求項の記載を引用する請求項の記載を当該他の請求項の記載を引用しないものとすることを目的とする訂正である。
　また、請求項３６に係る本件訂正は、訂正前の当該請求項から請求項１のみを引用する請求項３４の特定事項を有するもの以外の特定事項を削除するものであるから、実質上特許請求の範囲を拡張し、又は変更するものには該当せず、また、新規事項の追加でもない。
　そして、請求項３６に係る本件訂正は、上述のとおり、特許請求の範囲の減縮を訂正の目的とし、かつ当該請求項に対して無効審判請求がされていないため、本件訂正後の請求項に係る発明が、発明が特許出願の際独立して特許を受けることができるかについて検討したが、独立特許要件を欠くとする事由を見いだすことができない。
　請求項３７ないし３９に係る本件訂正も請求項３６と同様に、訂正前の当該請求項から請求項１のみを引用する請求項３４をさらに引用する当該請求項の特定事項を有するもの以外の特定事項を削除するものであるから、適法であって、請求項３９を引用する請求項４０に係る本件訂正も請求項３９に係る本件訂正に伴う訂正であって同様に適法である。
３　本件訂正の適否についてのまとめ
　以上のとおり、本件訂正は、特許法第１３４条の２第１項ただし書第１号又は第４号に掲げる事項を目的とするものであり、同条第９項において準用する同法第１２６条第５項ないし第７項の規定に適合するものであるから、特許第５９７６３２０号の特許請求の範囲を訂正請求書に添付された訂正特許請求の範囲のとおり、訂正後の請求項〔１、３、４、１１、１３−１５、１９、２４、２５、２９、３４、３５〕、〔２〕、〔５〕、〔６−１０〕、〔１２〕、〔１６、１７〕、〔１８〕、〔２０〕、〔２１〕、〔２２〕、〔２３〕、〔２６〕、〔２７〕、〔２８〕、〔３０〕、〔３１〕、〔３２、３３〕、〔３６〕、〔３７〕、〔３８〕、〔３９、４０〕について訂正することを認める。
第３　本件特許無効審判の請求について
　本件特許無効審判の請求は、本件特許の請求項１、３、４、１１、１３ないし１５、１９、２４、２５、２９、３４及び３５に係る特許をを対象とするところ、上記のとおり、これらの請求項は、適法になされた上記本件訂正により削除されたため、当該請求の対象は存在しないこととなった。
　したがって、本件特許無効審判の請求は、不適法な審判の請求であって、その補正をすることができないものというべきであるから、特許法第１３５条の規定によって却下すべきものである。
　そして、審判に関する費用については、特許法第１６９条第２項の規定で準用する民事訴訟法第６１条の規定により、請求人が負担すべきものとする。
　よって、結論のとおり審決する。